(57)【特許請求の範囲】
【請求項１】
気体燃料をバーナ装置のメインパイプから噴出するとともに、メインパイプの側方に配設された点火装置により燃焼されたパイロットガスでメインパイプからの気体燃料を燃焼させ、メインパイプの上方部に火炎ボールを製造する方法であって、
燃焼用空気と燃料からなる混合燃料を燃焼してパイロット火炎が形成されているメインパイプに予め蓄圧された気体燃料単体を短時間で瞬間開閉電磁弁の開口操作により流すことにより前記メインパイプから噴出上昇させ、大気中にて噴出気体燃料と大気中の空気との間の接触面の拡散が行われた部分において拡散燃焼をさせ、拡散された拡散火炎を作り火の玉を製造するとともに、前記パイロット火炎の形成直前には点火装置のパージを圧縮空気により行わせることを特徴とする火炎ボールの製造方法。
【請求項２】
前記メインパイプから蓄圧気体燃料の噴出完了をなす閉弁直後にメインパイプへの燃料供給経路を圧縮空気によりパージすることを特徴とする請求項１に記載の火炎ボールの製造方法。
【請求項３】
気体燃料をバーナ装置のメインパイプから噴出するとともに、メインパイプの側方に配設された点火装置により燃焼されたパイロットガスでメインパイプからの気体燃料を燃焼させ、メインパイプの上方部に火炎ボールを製造する装置であって、
前記メインパイプには気体燃料源に接続する燃料供給経路中に蓄圧タンクおよび当該蓄圧タンクの出側に瞬間開閉電磁弁とを配置し、
前記点火装置には気体燃料経路と圧縮空気経路とを開閉弁を介して接続し、
前記点火装置により空気混合燃料によるパイロット火炎の形成後に前記蓄圧タンクから蓄圧気体燃料を瞬時にメインパイプに供給させる制御手段とを設け、
前記制御手段による開弁シーケンスによりメインパイプに供給された蓄圧気体燃料に着火させ大気中で拡散燃焼を行わせるようにしたことを特徴とする火炎ボールの製造装置。
【請求項４】
請求項３の火炎ボールの製造装置において、
前記点火装置には、内部に電流を流して表面温度を高めるグロープラグを用いたことを特徴とする火炎ボールの製造装置。
【発明の詳細な説明】
【０００１】
【発明の属する技術分野】
本発明は火炎ボールの製造方法および製造装置に係り、特に、屋外あるいは水面近傍等に配設された火炎演出設備で、バーナ装置の上方の空中部に火炎ボールを製造する火炎ボールの製造方法および製造装置に関する。
【０００２】
【従来の技術】
従来、空中に火の玉Ｆａ（図９に示す斜線部）を作る方法として、人間の口にガソリン等の揮発油を含み、そのガソリン等の揮発油を火が付いた棒に吹きつけて、棒の先の上方部に火の玉を作ることは知られている。しかし、従来のバーナ装置を用いて、バーナ装置の先端上方部に火の玉を作ることは知られていない。また、従来のバーナ装置は、身近なものとして家庭用のガスコンロのバーナ装置が知られている。このバーナ装置には、一般的に点火装置として、電気火花、火炎、赤熱させたニクロム線、あるいは、圧電素子等が用いられている。
【０００３】
【発明が解決しようとする課題】
しかしながら、人間の口にガソリン等の揮発油を含み、それを火が付いた棒に吹きつけて火の玉を作る従来の方法は、特別な人間に限られるとともに、火の玉が人間の被服に着火するなど危険が伴っていた。このような火の玉Ｆａを観覧用として火炎演出装置により製造することは困難であり、現在までにこのような装置は提案されていなかった。この観覧用の火炎演出装置とは、例えば、図９に示すような装置の一部が考えられている。この火炎演出装置は、水槽Ｓ内に水Ｗａを入れ、この水Ｗａの水面近傍に図示しない従来のバーナ装置を配設し、このバーナ装置に気体燃料を供給して燃焼させ、バーナ装置の上方部に火の玉Ｆａ（斜線部）を製造する装置が考慮されている。しかし、この装置により火の玉Ｆａを製造する困難の一例として、一般用のバーナ装置では、次の点でバーナ装置の先端上方部に火の玉を作ることが困難であるとともに、気体燃料を短時間の間だけバーナ装置に供給する制御が困難であるという問題があった。一般用のバーナ装置では、屋外あるいは水面近傍等で用いる火炎演出装置においては、従来の点火装置としての電気火花、火炎、赤熱させたニクロム線、あるいは、圧電素子等では、風が当たったり、あるいは水等がかかったりして点火装置の加熱が低くなり、パイロットガスが点火しなかったり、あるいは、バーナ装置が瞬間的に燃焼する風で消火したりして、火の玉を作ることは困難である。
【０００４】
本発明は、上記従来の問題点に着目し、火炎ボールの製造方法および製造装置に係り、特に、屋外あるいは水面近傍等に配設され、火炎演出に用いる火の玉をバーナ装置の上方部に、安全に、容易に製造できる火炎ボールの製造方法および製造装置を提供することを目的とする。
【０００５】
【課題を解決するための手段】
上記目的を達成するために、本発明に係る火炎ボールの製造方法の発明の第１では、気体燃料をバーナ装置のメインパイプから噴出するとともに、メインパイプの側方に配設された点火装置により燃焼されたパイロットガスでメインパイプからの気体燃料を燃焼させ、メインパイプの上方部に火炎ボールを製造する方法であって、燃焼用空気と燃料からなる混合燃料を燃焼してパイロット火炎が形成されているメインパイプに予め蓄圧された気体燃料単体を短時間で瞬間開閉電磁弁の開口操作により流すことにより前記メインパイプから噴出上昇させ、大気中にて噴出気体燃料と大気中の空気との間の接触面の拡散が行われた部分において拡散燃焼をさせ、拡散された拡散火炎を作り火の玉を製造する方法としている。
【０００６】
また、前記パイロット火炎の形成直前には点火装置のパージを圧縮空気により行わせる。
また、前記メインパイプから蓄圧気体燃料の噴出完了をなす閉弁直後にメインパイプへの燃料供給経路を圧縮空気によりパージすると良い。
【０００７】
本発明に係る火炎ボールの製造装置の発明の第１では、気体燃料をバーナ装置のメインパイプから噴出するとともに、メインパイプの側方に配設された点火装置により燃焼されたパイロットガスでメインパイプからの気体燃料を燃焼させ、メインパイプの上方部に火炎ボールを製造する装置であって、前記メインパイプには気体燃料源に接続する燃料供給経路中に蓄圧タンクおよび当該蓄圧タンクの出側に瞬間開閉電磁弁とを配置し、前記点火装置には気体燃料経路と圧縮空気経路とを開閉弁を介して接続し、前記点火装置により空気混合燃料によるパイロット火炎の形成後に前記蓄圧タンクから蓄圧気体燃料を瞬時にメインパイプに供給させる制御手段とを設け、前記制御手段による開弁シーケンスによりメインパイプに供給された蓄圧気体燃料に着火させ大気中で拡散燃焼を行わせるようにした構成としている。
また、点火装置には、内部に電流を流して表面温度を高めるグロープラグを用いるとよい。
【０００８】
【作用】
上記構成によれば、火の玉をバーナ装置の上方の空中部に製造するときには、先ず、予め蓄圧された気体燃料が気体燃料用タンクより燃料供給経路に設けられた短時間だけ開口する瞬間開閉電磁弁を経てメインパイプに供給される。メインパイプに供給された気体燃料は、メインパイプの側方に配設された点火装置により燃焼されたパイロット火炎で着火されて燃焼させられる。このメインパイプで着火された気体燃料は、メインパイプから上方に噴出される。この気体燃料は、メインパイプから噴出された後に上昇に伴って、気体燃料と大気中の空気との間の接触面の拡散が行われ、ちょうど燃焼に適当な混合気を形成した部分において拡散燃焼が行われ、拡散された拡散火炎が発生する。この拡散火炎が迫力ある赤い火の玉となって、メインパイプの上方部に製造される。上記の拡散火炎を発生し火の玉を作る制御は、コントローラ等の制御部からの指令を受けて短時間の間で開閉し切り換わる瞬間開閉電磁弁によって行われるが、この瞬間開閉電磁弁には摺動抵抗の小さい揺動アクチュエータにより作動されるボールバルブ、バタフライバルブ、あるいはプラグバルブ等の切換弁によって行われる。
【０００９】
この火炎ボールの製造装置装置に用いられるグロープラグは、内部のヒータに電流を流して表面温度を上昇させ、この上昇した表面温度に空気が混合されたパイロットガスを接触させて確実に点火してパイロット火炎を燃焼させる。このグロープラグは、発熱量が大きいとともに、表面温度の上昇率が高い自動車等の車輌のエンジンに用いるグロープラグが用いられているため、風が当たったりあるいは水がかかっても、表面温度の低下が少なくなるとともに長時間上昇したままの温度を維持でき、パイロットガスの点火をより確実にしている。また、点火装置はメインパイプに対して対向して２個以上設けると、一方から風が当たったりあるいは一方に水がかかっても、他方の点火装置により点火するため、より確実に点火する。また、グロープラグの先端部はパイロットパイプの中に収納したため、風が当たったりあるいは水がかかることが少なくなる。このグロープラグには、セラミックスを用いたグロープラグを用いると、さらに、内部のヒータに大電流を流して表面温度が上昇しすぎても、表面の腐食がなくなるとともに、表面温度の上昇率をさらに速くすることができる。
【００１０】
また、点火装置には火炎検出センサが付設され、パイロットガスが点火されて燃焼したことを検出している。また、火炎検出センサは先端部が閉塞された管体内に収納されているため、風が当たったりあるいは水がかかることがなくなる。センサには、赤外線輻射センサを用いると、パイロット火炎により赤熱された管体の先端部から放出される赤外域の輻射熱のいずれかを非接触で、応答性が速く検出できる。
【００１１】
【発明の実施の形態および実施例】
以下に、本発明に係る火炎ボールの製造方法および製造装置の好ましい実施の形態を添付図面に従って詳細に説明する。
図１は本発明の実施例に係る火炎ボールの製造装置の全体構成回路図である。図２は火炎ボールの製造装置に用いるバーナ装置の外観正面図、図３はバーナ装置の外観側面図、図４は外観平面図、図５は点火装置のパイロットバーナの一部断面正面図、図６はパイロットバーナの一部断面側面図、および、図７はパイロットバーナの平面図である。
【００１２】
図１において、火炎ボールの製造装置１は、主として、火炎ボールである火の玉を形成するバーナ装置１０と、バーナ装置１０に気体燃料、パイロットガスと燃焼用圧縮空気、および、パージ用圧縮空気を供給する気体供給部８０と、バーナ装置１０への気体燃料、パイロットガスと燃焼用圧縮空気、および、パージ用圧縮空気を供給する時期を制御する制御部１３０とから構成されている。
【００１３】
バーナ装置１０は、主として、メインパイプ部１２と、パイロットバーナ部３０とから構成されている。また、パイロットバーナ３０は、パイロットガス部３５と、点火装置部６０とから構成されている。
【００１４】
気体供給部８０は、主として、気体燃料用蓄圧タンク８２と、瞬間開閉電磁弁９０と、圧縮空気用蓄圧タンク９２と、電磁付圧縮空気弁９６と、および電磁付パイロットガス弁１０６とから構成されている。
【００１５】
制御部１３０は、瞬間開閉電磁弁９０、電磁付圧縮空気弁９６、および電磁付パイロットガス弁１０６等への開閉指令の出力、あるいは、点火装置部６０への加熱指令の出力、あるいは、気体燃料用蓄圧タンク８２の圧力および水面Ｓｄの位置等の検出値の受信、等を行い、火炎ボールの製造装置１の作動の制御を行っている。
【００１６】
図２、図３、および図４において、バーナ装置１０は、メインパイプ部１２と、パイロットバーナ部３０とから構成されている。メインパイプ部１２は、メインパイプ１４と、メインパイプ１４にボルトで１６で取着されたメッシュフランジ１８とから構成されている。メインパイプ１４は、先端部側（図示の上側）から順次溶接されて一体に形成されるとともに、円筒中空孔を有するガスチップ２０、パイプ２２、レジューサー２４、および、フランジ２６とから構成されている。メインパイプ部１２は、後述する気体燃料を所定圧力以上で蓄圧する気体燃料用蓄圧タンク８２に気体燃料用配管８４を介してフランジ２６が接続されている。気体燃料用蓄圧タンク８２には、ＬＰＧ（液化石油ガス）、ＬＮＧ（液化天然ガス）、あるいは、これらの混合ガス等の気体燃料が蓄圧されるとともに、燃料供給経路である気体燃料用配管８４を経てメインパイプ１４に供給している。メインパイプ１４に供給される気体燃料は点火装置部６０により点火されたパイロット火炎を受けて赤い火炎で燃焼し、メインパイプ１４の先端部のガスチップ２０から噴出している。ガスチップ２０には、先端部近傍の円周に複数個の孔２０ａがあけられるとともに、その先端２０ｂにはメッシュフランジ１８がボルトで１６で取着されている。メッシュフランジ１８は金網１８ａ（図４に示す）からなり、金網１８ａが加熱されると赤熱され赤外線を放出する。また、この金網１８ａはセラミックス材料を用いて作成しても良い。
【００１７】
図５、図６、および、図７において、バーナ装置１０への混合ガスに点火するパイロットバーナ３０は、パイロットガス部３５と、点火装置部６０とから構成されている。また、パイロットバーナ３０には、詳細は後述する制御部１３０の火炎検出センサ部７０が付設されている。パイロットバーナ３０は、ブラケット３２を介してメインパイプ部１２に対して対称位置に一対の２個が配設されている。このパイロットバーナ３０は１個あるいは３個以上にしても良い。
【００１８】
パイロットガス部３５は、主として、第１ブロック３６と、第２ブロック３８と、第３ブロック４０と、から構成されている。また、このパイロットガス部３５には、詳細は後述する気体供給部８０のパイロットガス用鋼管４２と、燃焼エア用鋼管４４と、および、パージエア用鋼管４６とが付設されている。
【００１９】
第１ブロック３６は、立方体形状の第１用ブロック３６ａと、へ字形状のパイロットパイプ３６ｂとにより一体形成され、ブロック３６ａの一面にパイロットパイプ３６ｂの一端部が固設されるとともに、他端部３６ｃは前記のガスチップ２０の複数個の孔２０ａの内の１個に向けて配設され、燃焼したパイロットガスがメインパイプ１４を流れる気体燃料に向けて噴出している。また、パイロットパイプ３６ｂが固設されているブロック３６ａの対向面には段付きのバーナノズル３７がパイロットパイプ３６ｂに向けて貫通してあけられ、パイロットガス、燃焼エア、および、パージエアを流している。また、パイロットパイプ３６ｂの先端側には、点火装置部６０が挿入される点火用穴３６Ａと、点火用穴３６Ａの先端側のより上方に火炎検出センサ部７０が挿入されるセンサ用穴３６Ｂとが順次あけられている。
【００２０】
第２ブロック３８は、立方体形状の第２用ブロック３８ａと、対向する両端面のそれぞれに設けられている円筒体３８ｂ、３８ｃとから形成されている。円筒体３８ｂ側の第２用ブロック３８ａの一面は第１ブロック３６に当接するとともに、円筒体３８ｂが第１ブロック３６のバーナノズル３７に枢密に挿入され、また、円筒体３８ｂにはＯリング４８が挿入されてパイロットガス、燃焼エア、および、パージエアをシールしている。第２用ブロック３８ａの外周の一面には、燃焼エア用鋼管４４が取着される燃焼エア用ねじ穴３８ｄがあけられている。この燃焼エア用ねじ穴３８ｄには、円筒体３８ｂ部にあけられた燃焼エア用穴３８ｅが直角方向から貫通しており、燃焼エア用鋼管４４からの燃焼エアを燃焼エア用ねじ穴３８ｄ、燃焼エア用穴３８ｅを介して、第１ブロック３６のバーナノズル３７に流している。
【００２１】
また、円筒体３８ｃには、パイロットガス用鋼管４２が取着されるパイロットガス用ねじ穴３８ｆがあけられている。このパイロットガス用ねじ穴３８ｆは、円筒体３８ｂに向けて貫通しており、パイロットガス用鋼管４２からのパイロットガスを、第１ブロック３６のバーナノズル３７に流している。バーナノズル３７では、燃焼エア用鋼管４４からの燃焼エアとパイロットガス用鋼管４２からのパイロットガスとを混合して混合ガスにするとともに、パイロットパイプ３６ｂに向けて流し、青い火炎のパイロット火炎を生成し、また、保炎と火炎を小さくしている。このパイロット火炎は小さくされているのと、パイロットパイプ３６ｂで覆われていることにより、観客からパイロットガスの燃焼が見えないようにされている。また、パイロットガス用ねじ穴３８ｆには、パイロットガスの入口側にフィルタ５０が付設されて流れるパイロットガスを清浄にするとともに、出口側にガスオリフィス５２が付設されて流れるパイロットガスの流量を決定させている。これにより、パイロット火炎の大きさを調整できる。また、円筒体３８ｃ側の第２用ブロック３８ａの一面は第３ブロック４０の一面に当接するとともに、円筒体３８ｃは第３ブロック４０の円筒体用穴４０ａに挿入されている。また、第２ブロック３８は、第３ブロック４０とに当接する一面から円筒体３８ｂに向けて貫通するパージエア用穴３８ｇが設けられ、後述するパージガスを第１ブロック３６のバーナノズル３７に流している。
【００２２】
第３ブロック４０の外周の一面には、パージエア用鋼管４６が取着されるパージエア用ねじ穴４０ｂがあけられている。このパージエア用ねじ穴４０ｂには、第２用ブロック３８ａに当接する一面からパージエア用穴４０ｃが直角方向から貫通しており、パージエア用鋼管４６からのパージエアを第２ブロック３８に設けたパージエア用穴３８ｇを介して、第１ブロック３６のバーナノズル３７に流している。バーナノズル３７に流れたパージエアは、気体の液滴が残留するとパイロットガスが点火しないためにパイロットパイプ３６ｂに向けて流し、外部に排出している。
【００２３】
図６および図７において、点火装置部６０は、主として、ターミナルボックス６２と、プラグホルダ６４と、グロープラグ６６と、および、グロープラグ電気用配管６８とから構成されている。点火装置部６０は、ターミナルボックス６２がボルト６２Ａによりパイロットガス部３５の第１ブロック３６に取着されている。ターミナルボックス６２は、立方体形状で形成され、その一面は第１ブロック３６に取着され、また、他の一面には、グロープラグ用の穴６２ａが形成されるとともに、その一面にはプラグホルダ６４が取着されている。プラグホルダ６４が取着されている他の一面の対向面には、グロープラグ電気用配管６８が取着される電気配管用ねじ穴６２ｂがあけられ、電気配管用ねじ穴６２ｂはグロープラグ用の穴６２ａに繋がっている。
【００２４】
プラグホルダ６４は、矩形形状のフランジ部６４ａと円筒形状のホルダ６４ｂとから形成されている。また、プラグホルダ６４には、段付きプラグ用孔６４ｃがあけられ、その段付きプラグ用孔６４ｃには、グロープラグ６６が挿入されて取着されている。グロープラグ６６は、自動車等の車輌のエンジンに用いるグロープラグが用いられ、その先端部６６ａは、パイロットパイプ３６ｂの先端部に形成された点火用穴３６Ａからパイロットパイプ３６ｂの内部に挿入されている。グロープラグ６６には、図示しない配線がグロープラグ電気用配管６８からターミナルボックス６２のグロープラグ用の穴６２ａ内に挿入され、ターミナルボックス６２のグロープラグ用の穴６２ａおよびプラグホルダ６４の段付きプラグ用孔６４ｃ内に配設されたグロープラグ６６に接続されている。グロープラグ６６には、接続されている配線を介して電流が供給され、グロープラグ６６の内部に配設された図示しないヒータに電流を流して温度を上昇している。この温度は、先端部６６ａの表面温度を上昇させ、パイロットパイプ３６ｂの内部を流れる燃焼エアとパイロットガスとの混合ガスに点火してパイロット火炎として燃焼させている。
【００２５】
グロープラグ６６の先端部６６ａがパイロットパイプ３６ｂの中に収納されているため、グロープラグ６６の先端部６６ａに風が当たったりあるいは水がかかることが少なくなり、また、風が当たったりあるいは水がかかっても、車輌のエンジンに用いる発熱量の大きいグロープラグ６６が用いられているため、表面温度の低下が少なくなるとともに長時間上昇したままの温度を維持でき、パイロットガスの点火をより確実にして、パイロットガスをパイロット火炎として燃焼させる。このグロープラグ６６は、通常の金属グロープラグでも良いが、セラミックヒータを用いたセラミックグロープラグを用いると内部のヒータに大電流を流して表面温度が上昇しすぎても、表面の腐食がなくなるとともに、表面温度の上昇率をさらに速くすることができるためさらに良い。
【００２６】
また、点火装置部６０には、詳細は後述する制御部１３０の火炎検出センサ部７０が付設されている。火炎検知センサ部７０は、主として、管体７１と、火炎検知センサ７２と、から構成されている。管体７１は先端７１ａが閉塞された中空管体７１ｂにより構成され、先端部７１ａをパイロット火炎の部分に臨ませて配置されるとともに、内部に火炎検知センサ７２を収納している。火炎検知センサ７２は、中空管体７１ｂの内部に収納され、パイロットガスが点火して燃焼しているか、否かを閉塞された管体７１の先端７１ａがパイロット火炎で赤熱状態に加熱されたか、否かで検知している。火炎検知センサ７２は、例えば、赤外線輻射温度計で構成され、赤外線輻射温度計は管体７１の先端７１ａがパイロット火炎で赤熱状態に加熱されたのを検知し、それを光ファイバ７６に伝え、パイロットガスが燃焼しているのを図示しない制御部等に送信している。火炎検知センサ７２で検出した温度信号は、図示しないファイバ用光変換器で光に変換され、光ファイバ７６を介して制御部１３０に送られているため、速い信号の伝達が得られている。
【００２７】
この火炎検知センサ部７０は、管体７１がセンサ用ブラケット７８によりターミナルボックス６２に取着されている。閉塞された管体７１の先端部７１ａは、パイロットパイプ３６ｂの先端部３６ｃに形成されたセンサ用穴３６Ｂからパイロットパイプ３６ｂの内部に挿入されて収納されている。これにより、火炎検知センサ部７０は、屋外あるいは水面近傍等に配置された火炎演出装置に用いられ、風や水が当たっても、管体７１の先端７１ａが閉塞されているので赤外線輻射温度計７４に当たることがなくなり、正確な温度が確実に測定できる。また、正確な温度が測定できるのでパイロットガスの火炎形成の有無を確実に判定することができる。
【００２８】
図１において、気体供給部８０は、主として、気体燃料用蓄圧タンク８２（以下、蓄圧タンク８２という）と、瞬間開閉電磁弁９０と、圧縮空気用蓄圧タンク９２と、電磁付圧縮空気弁９６と、電磁付パイロットガス弁１０６、および、低圧用圧縮空気タンク１１０と、から構成されている。
【００２９】
蓄圧タンク８２は、気体燃料用配管８４を介してバーナ装置１０のフランジ２６が接続されて、ＬＰＧ（液化石油ガス）、ＬＮＧ（液化天然ガス）、あるいは、これらの混合ガス等の気体燃料を所定圧力以上で蓄圧している。この蓄圧タンク８２には、後述する圧力センサ１３２が付設され、蓄圧されている気体燃料の圧力の測定値を制御部１３０に送信している。バーナ装置１０のフランジ２６は蓄圧タンク８２に接続したが、気体燃料用配管８４を所定圧力の気体燃料を供給する気体燃料源となる気体燃料供給装置８６に接続しても良い。気体燃料用配管８４には、バーナ装置１０のフランジ２６と蓄圧タンク８２との間で、蓄圧タンク８２の出側に瞬間開閉電磁弁９０が配設されている。瞬間開閉電磁弁９０は、制御部１３０からの指令を受けて作動し、バーナ装置１０に燃料供給経路である気体燃料用配管８４、および短時間で開閉を制御される瞬間開閉電磁弁９０を経て気体燃料を流し、バーナ装置１０の上方部に火炎ボールを製造する。
【００３０】
圧縮空気用蓄圧タンク９２は、圧縮空気用配管９４から気体燃料用配管８４を介してバーナ装置１０に接続されている。この圧縮空気用配管９４は、バーナ装置１０のメインパイプ１４の一部であるフランジ２６と瞬間開閉電磁弁９０との間の接続点Ｐａで気体燃料用配管８４に接続されている。また、この圧縮空気用配管９４には電磁付圧縮空気弁９６が配設されている。また、圧縮空気用配管９４は、電磁付圧縮空気弁９６の後方、すなわち、気体燃料用配管８４との間の接続点Ｐａに近い方に、さらに分岐される接続点Ｐｃを有し、ドレン用配管９８に接続されている。ドレン用配管９８には、電磁付ドレン弁１００が配設されている。電磁付圧縮空気弁９６は、制御部１３０からの指令を受けて作動し、メインパイプ１４から蓄圧されていた気体燃料の噴出完了を行う瞬間開閉電磁弁９０の閉弁直後に開口して、メインパイプ１４への燃料供給経路の気体燃料用配管８４を圧縮空気によりパージする。また、電磁付圧縮空気弁９６は、気体燃料用配管８４を圧縮空気によりパージした後に閉弁し、またこのとき、制御部１３０からの指令を受けて電磁付ドレン弁１００が開口して圧縮空気用配管９４および気体燃料用配管８４内の圧縮空気をドレンして大気を導入した後、再度閉弁して次の火の玉を製造するのに備えている。
【００３１】
これにより、メインパイプ１４は、当初制御部１３０からの指令により、瞬間開閉電磁弁９０が短時間の間だけ開口し、蓄圧タンク８２に予め蓄圧された気体燃料単体をメインパイプ１４に流す。メインパイプ１４に流れた気体燃料単体は、メインパイプ１４の側方に配設された点火装置部６０により燃焼されたパイロット火炎により着火されるとともに、メインパイプ１４から上方に噴出される。メインパイプ１４で着火されるとともに噴出された気体燃料は上昇に伴って、気体燃料と大気中の空気との間の接触面の拡散が行われ、ちょうど燃焼に適当な混合気を形成した部分において拡散燃焼が行われ、拡散された拡散火炎（図９の実線Ｆａ）を発生させ、メインパイプ１４の上方部に迫力を増した赤い火炎の火の玉が製造される。このとき、火の玉を製造する気体燃料単体を流した瞬間開閉電磁弁９０が閉弁した後に、制御部１３０から電磁付圧縮空気弁９６に指令を出力して開口操作を行い、メインパイプ１４および気体燃料用配管８４を圧縮空気によりパージする。メインパイプ１４および気体燃料用配管８４がパージされた後に、電磁付圧縮空気弁９６を閉弁するとともに、制御部１３０からの指令を受けて電磁付ドレン弁１００を開口して圧縮空気用配管９４および気体燃料用配管８４内の圧縮空気をドレンして大気を導入する。その後に、再度閉弁して次の火の玉を製造するのに備えている。
【００３２】
また、圧縮空気用配管９４は、電磁付圧縮空気弁９６の前方、すなわち、圧縮空気用蓄圧タンク９２に近い途中の接続点Ｐｂで分岐された後に、さらに接続点Ｐｄで分岐されて一対の燃焼エア用鋼管４４、４４とされ、メインパイプ部１２の左右に配設された一対の点火装置部６０のパイロットガス部３５の第２ブロック３８にそれぞれが接続されている。燃焼エア用鋼管４４の接続点Ｐｂと、さらに分岐される接続点Ｐｃとの間には、点火装置部６０に供給する燃焼エアの供給量および遮断を制御する電磁付燃焼エア弁１０２が配設されている。電磁付燃焼エア弁１０２により供給量および遮断を制御された燃焼エアは、第２ブロック３８を経て、第１ブロック３６のバーナノズル３７にパイロットガスが燃焼するのに必要な空気量だけ送られている。これにより、パイロットガスは、バーナノズル３７で、燃焼エア用鋼管４４からの燃焼エアとパイロットガス用鋼管４２からのパイロットガスとを混合して混合ガスにするとともに、パイロットパイプ３６ｂに向けて流され、グロープラグ６６で点火されて、青い火炎のパイロット火炎を生成している。
【００３３】
パイロットガス用タンク１０４は、パイロットガス用鋼管４２を介して点火装置部６０のパイロットガス部３５の第２ブロック３８に接続している。パイロットガス用鋼管４２は途中の接続点Ｐｅで分岐されて一対のパイロットガス用鋼管４２、４２とされ、メインパイプ部１２の左右に配設された一対の点火装置部６０の第２ブロック３８にそれぞれが接続されている。それぞれのパイロットガス用鋼管４２、４２には、パイロットガスの流量および遮断を制御する電磁付パイロットガス弁１０６、１０６が配設されている。電磁付パイロットガス弁１０６により流量および遮断を制御されたパイロットガスは、第２ブロック３８を経て、第１ブロック３６のバーナノズル３７に送られている。第１ブロック３６のバーナノズル３７では、燃焼エア用鋼管４４からの燃焼エアとパイロットガス用鋼管４２からのパイロットガスとを混合して混合ガスにするとともに、パイロットパイプ３６ｂに向けて流し、点火装置部６０のグロープラグ６６によりパイロットパイプ３６ｂ内での点火を容易にしている。
【００３４】
低圧用圧縮空気タンク１１０は、パージエア用鋼管４６を介して点火装置部６０のパイロットガス部３５の第３ブロック４０に接続している。パージエア用鋼管４６は途中の接続点Ｐｆで分岐されて一対のパージエア用鋼管４６、４６とされ、メインパイプ部１２の左右に配設された一対の点火装置部６０の第３ブロック４０にそれぞれが接続されている。パージエア用鋼管４６からのパージエアを第２ブロック３８に設けたパージエア用穴３８ｇを介して、第１ブロック３６のバーナノズル３７に流している。バーナノズル３７に流れたパージエアは、気体の液滴が残留するとパイロットガスが点火しないためにパイロットパイプ３６ｂに向けて流し、外部に排出している。
【００３５】
図８は、瞬間開閉電磁弁９０の一例を示す弁１１５の概念図である。
弁１１５は、入口配管Ｈｉおよび吐出配管Ｈｏに接続されたボールバルブ部１１６と、ボールバルブ部１１６の操作部１１６ａに接続された小さい摺動抵抗を有し加圧された空気（圧縮空気）で短時間で揺動する揺動アクチュエータ１１８と、揺動アクチュエータ１１８への加圧された空気を供給する空気用切換弁１２０と、制御部１３０からの指令により空気用切換弁１２０を作動させる電磁ソレノイド１２２（図１において、記号Ｓで示す）とからなっている。また、揺動アクチュエータ１１８には、揺動アクチュエータ１１８の揺動の異常を検出するリミットスイッチ等の検出器１２６が付設されている。また、揺動アクチュエータ１１８には、戻り力を発生するばね１１８ａが付設され、空気圧系の故障などが生じたときには自動的に始点に戻るようになっている。図中において、空気用切換弁１２０は、エアコンプレッサ１２８（図１において、記号ＡＣで示す）からの配管１２８ａが接続されて加圧された空気（圧縮空気）を受けるとともに、作動時には揺動アクチュエータ１１８に送給している。なお、上記では、小さい摺動抵抗を有し短時間で切り換わるボールバルブ部１１６を用いた例を示したが、同様な条件を満たすバタフライバルブ、プラグバルブ等でも良く、また、揺動アクチュエータ１１８もシリンダでも良い。
【００３６】
上記構成により、例えば、瞬間開閉電磁弁９０を短時間の間で開閉する場合に、先ず、制御部１３０からの指令を電磁ソレノイド１２２に出力し、電磁ソレノイド１２２を作動して空気用切換弁１２０を切り換える。空気用切換弁１２０は切り換わり、エアコンプレッサ１２８の加圧された空気（所定圧力の空気）は配管１２８ｂより揺動アクチュエータ１１８に送給され、摺動抵抗の少ない揺動アクチュエータ１１８を速い作動速度で開閉する。瞬間開閉電磁弁９０の作動はリミットスイッチ等の検出器１２６で検出されて制御部１３０に送信される。このとき、正常な位置にないときには、制御部１３０から電磁ソレノイド１２２への指令の出力を停止し、電磁ソレノイド１２２は図示しないばねにより始点に戻るようになっている。正常の位置にあるときには、そのままの指令を出力して揺動アクチュエータ１１８を所定位置に停止するとともに、その力によりボールバルブ部１１６を短時間で所定量だけ開き、設定された所定流量の気体燃料を入口配管Ｈｉから吐出配管Ｈｏに流す。瞬間開閉電磁弁９０からバーナ装置１０に送られる気体燃料は、気体燃料の燃焼に必要な燃焼エアの空気量あるいは酸素量を混合させないでメインバイプ１４から上方に噴出され、上昇中に空気量あるいは酸素量に接触して拡散燃焼が行なわれ、拡散された拡散火炎を発生させて赤い火の玉を製造する制御が行われる。
【００３７】
上記の図８においては、瞬間開閉電磁弁９０の一例を示す弁１１５の概念図を説明したが、図１に示す他に用いられている電磁付圧縮空気弁９６、電磁付ドレン弁１００、および、電磁付燃焼エア弁１０２は、通常の電磁付開閉弁を用いても良い。
【００３８】
制御部１３０は、瞬間開閉電磁弁９０の電磁ソレノイド９０ａ、電磁付圧縮空気弁９６の電磁ソレノイド９６ａ、電磁付ドレン弁１００の電磁ソレノイド１００ａ、電磁付パイロットガス弁１０６の電磁ソレノイド１０６ａ、および、電磁付燃焼エア弁１０２の電磁ソレノイド１０２ａに接続され、それぞれに応じた所定の指令を出力している。
【００３９】
また、制御部１３０は、点火装置部６０のグロープラグ６６に点火指令を出力するとともに、火炎検出センサ部７０からパイロット火炎により赤熱され、放出される赤外域の輻射熱を測定してパイロットガスが燃焼しているか否か、の検出信号を受けている。
【００４０】
また、制御部１３０は、瞬間開閉電磁弁９０に付設されるリミットスイッチ等の検出器１２６で揺動アクチュエータ１１８の揺動角度を検出した信号を受けている。
また、制御部１３０は、蓄圧タンク８２に付設され圧力センサ１３２より、気体燃料が所定圧力に達しているか否かの信号を受けている。
【００４１】
また、制御部１３０は、火炎ボールの製造装置１の水槽Ｓに入れられている水面Ｓｄの位置等を検出する水面センサ１３４から水面位置Ｓｄが所定の位置にあるか否かの信号を受けている。
【００４２】
また、制御部１３０には、異常発生表示装置１３６が付設されている。異常発生表示装置１３６は瞬間開閉電磁弁９０が完全に閉じているか、否かを検出して、閉じて居ない場合には、ランプ等を点滅させるか、あるいは警報音を発生する等の警報を発するようにしている。
【００４３】
上記のように構成された火炎ボールの製造装置１は、観覧用の火炎演出装置として、例えば、図９に示すような火炎演出装置に用いられる。バーナ装置１０は、水槽Ｓ内に水Ｗａを入れ、この水Ｗａの水面近傍にバーナ装置１０を配設し、このバーナ装置１０にパイロット火炎により着火された気体燃料をバーナ装置１０の上方部に噴出させ、気体燃料が上昇しながら空気および酸素に接触し細長い火炎Ｆｂ（一点鎖線部）から拡散した迫力のある赤い拡散火炎の火の玉Ｆａ（実線部）を製造する装置である。このとき、バーナ装置１０は、メインパイプ部１２、パイロットガス部３５と、点火装置部６０、および、火炎検出センサ部７０の一部は水中に配置され、それぞれの先端部は水面より突出して配置されている。特に、メインパイプ部１２のガスチップ２０、パイロットパイプ３６ｂの先端部３６ｃ、点火装置部６０のグロープラグ６６の先端部６６ａ、および、火炎検出センサ７２は水面より突出して配置されている。このように配置されたグロープラグ６６でも、自動車等の車輌のエンジンに用いるグロープラグが用いられているため、水面の上側で、水面の近傍に配置されても確実に表面温度を維持でき、パイロットガスを確実に点火できる。また、水面Ｓｄの近傍には、水面センサ１３４が配設され、水槽Ｓ内に所定量の水Ｗａが入り、水面位置Ｓｄが所定の位置にあるか否かの検出を行い、この信号を制御部１３０に送信している。
【００４４】
上記のごとく構成した火炎ボールの製造装置１の作用について、図１０および図１１のフローチャート図にしたがって説明する。
ステップ１では、制御装置１３０は、火炎ボールの製造装置１の演出準備の完了の確認を検出する指令を出力する。ここで、演出準備とは、例えば、蓄圧タンク８２に付設され圧力センサ１３２に所定圧力以上の圧力が蓄圧している（Ｙｅｓ）か、否（Ｎｏ）かを検出する指令を出力するとともに、検出値を受けている。また、水面センサ１３４には水槽Ｓ内に所定量の水Ｗａが入っているか、否かを検出する等の指令を出力するとともに、検出値を受けている。
【００４５】
ステップ２では、制御装置１３０は、ステップ１の指令の検出値を受けて、準備が完了しているか、否かを判定している。ステップ２で否の場合にはステップ１に戻り、否の項目に対して準備が完了するように指令を出力するとともに、再度ステップ１の確認の指令を出力する。ステップ２でＹｅｓの場合には、ステップ３に行く。
【００４６】
ステップ３では、制御装置１３０は点火装置６０のグロープラグ６６に電線６６ｂ（図１に示す）を介して内部に電流を流す指令を出力する。
ステップ４では、制御装置１３０は点火装置６０のグロープラグ６６が所定の温度に上昇したか、否かを火炎検出センサ７２により検出し、電線６６ｃ（図１に示すが、図６に示すように光ファイバ７６を用いても良い）を介して受信する。ステップ４で否の場合にはステップ３に戻り、グロープラグ６６に電流を強くして表面温度を上昇させる。ステップ４でＹｅｓの場合には、ステップ５に行く。
【００４７】
ステップ５では、パイロット火炎を形成する直前に点火装置６０のパージを低圧圧縮空気により行わせる。このパージは、低圧用圧縮空気タンク１１０からパージエア用鋼管４６を介して点火装置部６０の第３ブロック４０に接続している第２ブロック３８に設けたパージエア用穴３８ｇを介して、第１ブロック３６のバーナノズル３７に流している。バーナノズル３７に流れたパージエアは、気体の液滴が残留するとパイロットガスが点火しないためにパイロットパイプ３６ｂに向けて流し、外部に排出している。この制御は、図示しない電磁付バルブに指令を出力して行っても良く、また、始動時に、人間が行っても良い。
【００４８】
ステップ６では、点火装置６０のグロープラグ６６が所定の温度に上昇しているため、制御装置１３０は電磁付パイロットガス弁１０６の電磁ソレノイド１０６ａ、および、電磁付燃焼エア弁１０２の電磁ソレノイド１０２ａに指令を出力して、それぞれの弁を開口して、パイロットガスおよび燃焼エアを流し点火装置６０に供給する。点火装置６０では、第１ブロック３６のバーナノズル３７で、燃焼エア用鋼管４４からの燃焼エアとパイロットガス用鋼管４２からのパイロットガスとを混合して混合ガスにするとともに、パイロットパイプ３６ｂに向けて流し、点火装置部６０のグロープラグ６６によりパイロットパイプ３６ｂ内で混合ガスを点火させ青い火炎のパイロット火炎を生成し、また、保炎と火炎を小さくしている。
【００４９】
ステップ７では、制御装置１３０はパイロットガスが点火しパイロット火炎が発生したか、否かを火炎検出センサ７２により検出している。このとき、火炎検出センサ７２は、火炎検出センサ７２の先端部がパイロット火炎により赤熱され、放出される赤外域の輻射熱を測定してパイロットガスが燃焼しているか否か、の検出信号を受けている。ステップ７で否の場合にはステップ６に戻り、パイロットガスの点火を待つ。ステップ７でＹｅｓの場合には、ステップ８に行く。
【００５０】
ステップ８では、制御装置１３０は、火の玉を製造するためにバーナ装置１０のメインパイプ１４に、所定流量の気体燃料のみを流すため、短時間の間だけ開閉する指令を瞬間開閉電磁弁９０に出力する。瞬間開閉電磁弁９０からバーナ装置１０に送られる気体燃料は、気体燃料の燃焼に必要な燃焼エアの空気量あるいは酸素量を混合させないでメインバイプ１４でパイロット火炎により着火されてメインバイプ１４から上方に噴出される。
【００５１】
ステップ９では、メインパイプ１４から噴出された後に上昇に伴って、気体燃料と大気中の空気との間の接触面の拡散が行われ、ちょうど燃焼に適当な混合気を形成した部分において拡散燃焼が行われ、拡散された拡散火炎（図９の実線Ｆａ）を発生させ、メインパイプ１４の上方部に火の玉が製造される。
【００５２】
ステップ１０では、制御装置１３０は、瞬間開閉電磁弁９０の閉弁直後に電磁付圧縮空気弁９６に開口指令を出力してメインパイプ１４への燃料供給経路の気体燃料用配管８４を圧縮空気によりパージする。
【００５３】
ステップ１１では、制御装置１３０は、ステップ１０でパージ後に、電磁付圧縮空気弁９６に閉弁指令を出力するとともに、電磁付ドレン弁１００に開口指令を出力する。これにより、圧縮空気用配管９４および気体燃料用配管８４内の圧縮空気をドレンして大気を導入する。
ステップ１２では、制御装置１３０は、電磁付ドレン弁１００に開口指令を出力して閉弁する。
【００５４】
ステップ１３では、瞬間開閉電磁弁９０のボールバルブ部１１６を完全に閉じているか、否かを確認する。これは、瞬間開閉電磁弁９０に付設されるリミットスイッチ等の検出器１２６で揺動アクチュエータ１１８の揺動角度を検出した信号を受けて判定している。ステップ１３で否の場合には、ステップ１４に行く。ステップ１３でＹｅｓの場合には、ステップ１５に行く。
【００５５】
ステップ１４では、瞬間開閉電磁弁９０の異常発生表示装置を作動させる信号を出力するとともに、ランプ等を点滅させるか、あるいは警報音を発生する等の警報を発する。また、制御装置１３０は、火炎ボールの製造装置１の使用を不可にする。
【００５６】
ステップ１５では、次の火の玉を製造するか、否かを判断している。ステップ１５でＹｅｓの場合には、ステップ５に行く。ステップ１５で否の場合には、ステップ１６に行く。
ステップ１６では、制御装置１３０は電磁付パイロットガス弁１０６の電磁ソレノイド１０６ａ、および、電磁付燃焼エア弁１０２の電磁ソレノイド１０２ａにそれぞれの弁を閉弁する指令を出力する。これにより、パイロットガスおよび燃焼エアを流すのを停止し、パイロット火炎は消える。
【００５７】
ステップ１７では、制御装置１３０は、グロープラグ６６への電流を停止する信号を出力して、グロープラグ６６の温度を下げる。
ステップ１８では、火炎ボールの製造装置１の演出を停止する指令を出力し停止する。
【００５８】
次に、火炎ボールの製造装置１に用いるバーナ装置１０の点火装置についての作用を説明する。
バーナ装置１０のメインパイプ部１２は、図示しない燃料タンクあるいは配管に接続されているフランジ２６からＬＰＧ（液化石油ガス）、ＬＮＧ（液化天然ガス）、あるいは、これらの混合ガス等の気体燃料を受ける。この気体燃料は、メインパイプ１４の先端部から大気中に噴出される。パイロットガスの気体燃料は、パイロットガス用鋼管４２から第２ブロック３８の第１ブロック３６のバーナノズル３７に流れている。このとき、パイロットガスの入口側にフィルタ５０が付設されて流れるパイロットガスを清浄にするとともに、出口側にガスオリフィス５２が付設されて流れるパイロットガスの流量を決定させている。さらに、このとき、燃焼エア用鋼管４４からの燃焼エアが燃焼エア用ねじ穴３８ｄ、燃焼エア用穴３８ｅを介して、第１ブロック３６のバーナノズル３７に流れている。バーナノズル３７では、燃焼エア用鋼管４４からの燃焼エアとパイロットガス用鋼管４２からのパイロットガスとを混合して混合パイロットガスにした後に、パイロットパイプ３６ｂに向けて流している。
【００５９】
パイロットパイプ３６ｂ内を流れている燃焼エアとパイロットガスとの混合パイロットガスは、パイロットパイプ３６ｂの中に収納されているグロープラグ６６の先端部６６ａに接触する。グロープラグ６６は、このとき制御部１３０からの指令により内部のヒータに電流が流され表面温度が上昇している。このため、グロープラグ６６の先端部６６ａに接触した混合パイロットガスは点火して燃焼してパイロット火炎として、途中に配設された火炎検出センサ７２に接触した後に、パイロットパイプ３６ｂの先端部３６ｃより噴出される。この噴出されたパイロットガスは、パイロットパイプ３６ｂの先端部３６ｃに配設されているメインパイプ１４のガスチップ２０の孔２０ａからメインパイプ１４の内部に入る。メインパイプ１４の内部に入ったパイロットガスは、メインパイプ１４の内部を流れる気体燃料のみに点火して気体燃料を燃焼させる。この燃焼した気体燃料は赤い火炎としてメインパイプ１４の先端部から大気中に噴出される。
【００６０】
このとき、火炎検出センサ７２により検出された燃焼しているパイロット火炎の温度信号は、光ファイバ７６を介して制御部１３０に送られている。パイロット火炎の燃焼が停止すると、パージエア用鋼管４６からのパージエアが第２ブロック３８に設けたパージエア用穴３８ｇを介して、第１ブロック３６のバーナノズル３７に流されており、バーナノズル３７に流れたパージエアは、気体の液滴が残留するとパイロットガスが点火しないためにパイロットパイプ３６ｂに向けて流し、外部に排出し、次の点火を容易にしている。
【００６１】
上記において、火炎ボールの製造装置のバーナ装置のメインパイプ、点火装置、および、火炎検出センサ部の一部は水中に入れていることで説明したが、全部を大気中に配設し、大気中で火の玉を作ることは容易にできることは言うまでもない。
【００６２】
【発明の効果】
以上説明したように、本発明は、気体燃料をバーナ装置のメインパイプから噴出するとともに、メインパイプの側方に配設された点火装置により燃焼されたパイロット火炎でメインパイプからの気体燃料を燃焼させ、メインパイプの上方部に火炎ボールの製造装置で火炎ボールを製造するため、屋外あるいは水面近傍等で用いる火炎演出においても火の玉をバーナ装置の上方部に、安全に、容易に製造できる。また、火炎ボールの製造装置に確実に温度が上昇するグロープラグを用いているため、空気が混入されているパイロットガスを点火させて燃焼させ、このパイロットガスの火炎によりバーナ装置の上方に噴出する気体燃料のみに確実に着火でき、バーナ装置の上方部に火の玉を確実に製造できる。また、メインパイプに供給する短時間で開閉する気体燃料の瞬間開閉電磁弁の作動を検出して異常があると確実に気体燃料を停止するため安全性が向上している。
【００６３】
また、点火装置には、内部に電流を流して表面温度を高めるグロープラグを用いたので、内部のヒータに大電流を流して表面温度を上昇させてパイロットガスに接触させることができ、パイロット火炎をより確実に燃焼させることができる。このグロープラグには、自動車等の車輌のエンジンに用いるグロープラグが用いられているため、発熱量が大きいとともに、表面温度の上昇率が速くでき、風が当たったりあるいは水がかかっても、表面温度の低下が少なくなるとともに長時間上昇したままの表面温度を維持でき、パイロットガスの点火をより確実にして、パイロット火炎を得ることができる。また、グロープラグの先端部がパイロットパイプの内部に挿入されているため、グロープラグの先端部に風が当たったりあるいは水がかかることが少なくなり、パイロットガスの点火をより確実にしている。また、セラミックヒータを用いたセラミックグロープラグを用いると内部のヒータに大電流を流して表面温度が上昇しすぎても、表面の腐食がなくなるとともに、表面温度の上昇率をさらに速くすることができるため、短時間で温度を上昇できるとともに、耐久性が向上してさらに良い点火装置が得られる。点火装置をメインパイプに対して対向して２個以上設けたために、屋外あるいは水面近傍等で用いる火炎演出装置にバーナ装置を使用しても、いずれか一方に風が当たったり、あるいは水等がかかったりしたときでも点火装置を確実に作動することができる。
【００６４】
また、点火装置には、パイロットガスが点火されて燃焼したことを検出する火炎検出センサが付設されているため、点火装置の作動を精度良く確認でき、正確な制御ができる。また、火炎検出センサは先端部が閉塞されている管体の内部に収納されているため、風が当たったり、あるいは水等がかかったりすることがなくなり、管体の先端部から放出される赤外域の輻射熱を非接触で精度良く検出できるとともに、応答性が速いので正確な制御に用いることができるという優れた効果が得られる。
【図面の簡単な説明】
【図１】本発明の実施例に係る火炎ボールの製造装置の全体構成回路図である。
【図２】本発明の実施の形態に係るバーナ装置の外観正面図である。
【図３】本発明の実施例に係るバーナ装置の外観側面図である。
【図４】本発明の実施例に係るバーナ装置の外観平面図である。
【図５】本発明の点火装置のパイロットバーナの一部断面正面図である。
【図６】本発明の点火装置のパイロットバーナの一部断面側面図である。
【図７】本発明の点火装置のパイロットバーナの平面図である。
【図８】瞬間開閉電磁弁の一例を示す概念図である。
【図９】火炎ボールの製造装置を説明するための一部概略図である。
【図１０】本発明の火炎ボールの製造方法を説明するためのフローチャート図である。
【図１１】本発明の火炎ボールの製造方法を説明するためのフローチャート図である。
【符号の説明】
１………火炎ボールの製造装置、１０………バーナ装置、
１２………メインパイプ部、１４………メインパイプ、
１８………メッシュフランジ、２０………ガスチップ、
３０………パイロットバーナ部、３５………パイロットガス部、
３６………第１ブロック、３８………第２ブロック、
４０………第３ブロック、４２………パイロットガス用鋼管、
４４………燃焼エア用鋼管、４６………パージエア用鋼管、
５０………フィルタ、５２………ガスオリフィス、
６０………点火装置部、６２………ターミナルボックス、
６４………プラグホルダ、６６………グロープラグ、
６８………グロープラグ電気用配管、７０………火炎検出センサ部、
７２………火炎検出センサ、７６………光ファイバ、８０………気体供給部、
８２………気体燃料用タンク、８４………気体燃料用配管、
８６………気体燃料供給装置、９０………瞬間開閉電磁弁、
９２………圧縮空気用蓄圧タンク、９４………圧縮空気用配管、
９６………電磁付圧縮空気弁、９８………ドレン用配管、
１００………電磁付ドレン弁、１０２………電磁付燃焼エア弁、
１０４………パイロットガス用タンク、１０６……電磁付パイロットガス弁、
１１０………低圧用圧縮空気タンク、１１６………ボールバルブ部、
１１８………揺動アクチュエータ、１２０………空気用切換弁、
１２２………電磁ソレノイド、１２４………ポジショナー、
１２６………検出器、１３０………制御部、１３２………圧力センサ、
１３４………水面センサ、１３６………異常発生表示装置
【図１】
0004216989.tif 000002
【図２】
0004216989.tif 000003
【図３】
0004216989.tif 000004
【図４】
0004216989.tif 000005
【図５】
0004216989.tif 000006
【図６】
0004216989.tif 000007
【図７】
0004216989.tif 000008
【図８】
0004216989.tif 000009
【図９】
0004216989.tif 000010
【図１０】
0004216989.tif 000011
【図１１】
0004216989.tif 000012